(57)【特許請求の範囲】
【請求項１】
電磁弁と、前記電磁弁とガス通路を介して接続したガス量調節部と、前記ガス量調節部とガス通路を介して接続したバーナと、前記ガス量調節部からでている調節レバーと、前記電磁弁の開閉を制御する制御部と、前記制御部に接続された点火スイッチと、前記制御部と接続した人体接触検知手段と、前記調節レバーの操作部の表面に前記人体接触検知手段と接続した検知部を設け、前記人体接触検知手段の出力が人体を検知した状態となったときだけ点火スイッチの出力により前記電磁弁を駆動する構成としたガス調理器。
【請求項２】
検出部は、調節レバーの操作部の移動方向の流量最大側側面に設けた請求項１記載のガス調理器。
【発明の詳細な説明】
【０００１】
【産業上の利用分野】
本発明は、ガスを用いた機器の点火制御に関するものである。
【０００２】
【従来の技術】
従来のガス調理器は図６に示すように電磁弁１と、ガス通路２を介して接続されたバーナ３と、電磁弁１の開閉を制御する制御部４と、制御部４に接続された点火スイッチ５とより構成されている。この構成により点火スイッチ５を押すと制御部４からの信号によって電磁弁１が開きガスがガス通路２を通りバーナ部で燃える。このときの熱でバーナ付近においた被調理物１６を加熱調理するように構成されていた。
【０００３】
このような電磁弁方式以外にバルブを押して開く弁を採用しているものもあるが、強い力を必要とし使いにくい。またこのような弁を使用すると操作部の凹凸が大きく、特に油などの汚れを落としにくい。そこで安全性と使いやすさを確保した操作部のフラットな調理器が望まれていた。
【０００４】
【発明が解決しようとする課題】
しかしながら上記構成では、不用意に点火スイッチをさわるであるとか、この調理器に寄り掛かった場合などに臀部の一部が触れてしまうといった場合でも電磁弁が開き火がついてしまい危ないといった問題があった。
【０００５】
このような課題を解決するため、従来の機器では２つのスイッチを押さなければ電磁弁が開かないとか、点火スイッチを操作面から奥に引っ込んだ構成としているものとかがあった。しかしこの場合操作部の汚れがふき取りにくいとか、操作がわずらわしいとかいう問題があった。
【０００６】
本発明は上記課題を解決するもので、安全で操作しやすく掃除のしやすいガス調理器を提供することを目的としたものである。
【０００７】
【課題を解決するための手段】
本発明は上記課題を解決するために、制御部と接続した人体接触検知手段と、調節レバーと着火スイッチを兼ねる構成とし、調節レバーの操作部の表面に前記人体接触検知手段と接続した検知部を設けた構成とした。
【０００８】
さらに、検知部は調節レバーの調節レバーの操作部の移動方向の流量最大側側面に配する構成とした。
【０００９】
【作用】
本発明は上記構成によって、人体接触検知手段の検知部を調節レバーの操作部の表面に配したので、着火操作のときに必ず調節レバーを操作するため、着火が確実になると同時に確実に人体接触検知を行う。
【００１０】
さらに、調節レバーの流量最大側側面に配するので、着火操作のとき必ず調節レバーを火力最大の方向へ操作するため、人体検知がより確実になり、着火が安全で確実になる。
【００１１】
【実施例】
以下本発明の一実施例を図面を参照して説明する。
【００１２】
図１において、電磁弁１とガス通路２を介して接続されたバーナ３と、電磁弁１の開閉を制御する制御部４と、制御部４に接続された点火スイッチ５と、制御部４と接続した人体接触検知手段６と、点火スイッチ５の表面に前記人体接触検知手段６と接続した２極の電極からなる検知部７を設ける。検知部７の出力は抵抗測定器８へ出力される。抵抗測定器８の出力は抵抗判別部９電圧Ｖinとして入力される。抵抗判別部９の中では異なる電圧である第１の比較基準電圧１１Ｖ1と第２の比較基準電圧１３Ｖ2とをそれぞれ基準電圧にもつ第１の比較器１０と第２の比較器１２へ入力される。比較器１２の出力が抵抗判別部９の出力となり、抵抗判別部９の出力Ｖoutは制御部４へ出力している。
【００１３】
図２に第１の比較器１０と第２の比較器１２の入力と出力、および抵抗判別部９の出力を示す。図に示す通り、ＶinがＶ1より低いとき、第１の比較器はＨiを、第２の比較器はＬoを出力する。そのときＶoutは第１、第２の両比較器の出力の和をとるのでＨiとなる。同様にＶinがＶ1とＶ2の間の値を取るときにはＶoutはＬoとなり、ＶinがＶ2より高いときにはＶoutはＬoとなる。つまり、ＶinがＶ1とＶ2の間の値を取るときだけＶoutはＬoとなる。
【００１４】
上記した構成において、人の手によって点火動作をしようと点火スイッチ５を押すと、点火スイッチの表面に配置した検知部６の２極の電極は３mm程度の間隔で交互に配しているので指は検知部６の２極以上を同時に触れることになる。このときの指の接触抵抗を抵抗測定器８で測定し電圧に変換し出力している。この出力を受けた抵抗判別部９は人体の抵抗である数キロオームの出力に相当するＶ1〜Ｖ2の電圧のときだけ出力をＬoとする。この出力と点火スイッチ５の出力との論理積をとり電磁弁を駆動しているので、人の操作であるときだけ電磁弁を開閉することができる。
【００１５】
また図３はガス調理器の操作スイッチ部の他の実施例の正面図を示し、図４は図３と同一部分を上部から見た断面図を示す。また図１と同じものには同一番号を付し詳細な説明は省略する。燃焼ガスの量を調節するガス量調節レバー１４と、電磁弁の開閉を制御する制御部４と、制御部４に接続された点火スイッチ５と、前記制御部４と接続した人体接触検知手段６と、ガス量調節レバー１４の表面に前記人体接触検知手段６と接続した検知部を設け、前記人体接触検知手段６の出力が人体を検知した状態となり、なおかつ点火スイッチ５がガス量調節レバー１４によって押されオンとなったときだけ前記電磁弁を駆動する構成としたガス調理器。
【００１６】
そして図５は本発明の第３の実施例の図である検知部７がプッシュスイッチからなり、プッシュスイッチ１６を調節レバー１４の移動方向の流量最大側側面に配する構成としている。
【００１７】
上記構成とすることにより、点火操作時に必ず調節レバー１４を操作し最大火力とするようになり、ガス不足によって着火しにくいということがなくなり点火を確実に行えるようになる。
【００１８】
【発明の効果】
以上説明したように本発明のガス調理器は、簡単な構成で確実に人の操作であることを判別し着火を行うので、意図しない着火を防げるという効果がある。
【図面の簡単な説明】
【図１】本発明の一実施例におけるガス調理器の構成図
【図２】同ガス調理器の抵抗判別部の入出力を示す図
【図３】同ガス調理器の操作部の拡大正面図
【図４】本発明の他の実施例におけるガス調理器の操作部の拡大上面図
【図５】本発明の他の実施例におけるガス調理器の操作部の拡大図
【図６】従来のガス調理器の構成図
【符号の説明】
１  電磁弁
２  ガス通路
３  バーナ
４  制御部
５  点火スイッチ
６  人体接触検知手段
７  検知部
８  抵抗測定器
１０  第１の比較器
１２  第２の比較器
１４  調節レバー
【図１】
0003551521.tif 000002
【図２】
0003551521.tif 000003
【図３】
0003551521.tif 000004
【図４】
0003551521.tif 000005
【図５】
0003551521.tif 000006
【図６】
0003551521.tif 000007